【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】
頭部（９６）を有するビームボルト（９４）と１以上の案内ピン（１５６）とを含むジェットポンプビーム（８６）用の固定装置（１１０）において、
第１の末端（１１８）から第２の末端（１２２）まで延びかつ前記ビームボルトの頭部を受入れるような寸法及び形状を有する内腔（１２０）を含むと共に、前記固定スリーブの外周に沿って設けられた複数のラチェット歯（１４４）を含む固定スリーブ（１１２）と、
前記固定スリーブを受入れるように寸法決定されたビームボルト穴（１２６）と一体のビームスプリングアーム（１２８）とを含み、前記スプリングアームは前記ビームボルト穴の中心に向かう前記スプリングアームの側面（１３８）の少なくとも一部から延びる複数のラチェット歯（１３６）を含み、かつ前記スプリングアームのラチェット歯が前記固定スリーブのラチェット歯とかみ合うように寸法決定されている固定板（１１４）と
を備える固定装置（１１０）。
【請求項２】
前記固定スリーブ（１１２）が上面（１５２）を有する基部（１１６）を含み、かつ前記複数のラチェット歯（１４４）が前記基部の外周に沿って設けられている請求項１記載の固定装置（１１０）。
【請求項３】
前記固定板（１１４）が前記ビームボルト穴（１２６）の内周の少なくとも一部に沿って延びるリップ（１５０）をさらに含み、かつ前記リップは前記固定スリーブ（１１２）の前記基部（１１６）の前記上面（１５２）と係合するように寸法決定されている請求項２記載の固定装置（１１０）。
【請求項４】
頭部（９６）を有するビームボルト（９４）と１以上の案内ピン（１５６）とを含むジェットポンプビーム（８６）用の固定装置（１１０）において、
第１の末端（１１８）から第２の末端（１２２）まで延びかつ前記ビームボルトを受入れるような寸法及び形状を有する内腔（１２０）と、上面（１５２）を有する基部（１１６）と、前記基部の外周に沿って設けられた複数のラチェット歯（１４４）とを含む固定スリーブ（１１２）と、
前記固定スリーブを受入れるように寸法決定されたビームボルト穴（１２６）と、前記ビームボルト穴の内周の少なくとも一部に沿って延びかつ前記固定スリーブの前記基部の前記上面と係合するように寸法決定されたリップ（１５０）と、一体のビームスプリングアーム（１２８）とを含み、前記スプリングアームが前記ビームボルト穴の中心に向かう前記スプリングアームの側面（１３８）の少なくとも一部から延びる複数のラチェット歯（１３６）を含み、かつ前記スプリングアームのラチェット歯が前記固定スリーブのラチェット歯とかみ合うように寸法決定されている固定板（１１４）とを含む固定装置（１１０）。
【請求項５】
前記スプリングアーム（１２８）が、前記ビームボルト穴（１２６）に隣接した前記固定板（１１４）から延びる第１の部分（１３０）と、前記第１の部分（１３０）から延びかつ前記ビームボルト穴の内周に沿って延びる第２の部分（１３２）と、前記第２の部分から延びる第３の部分（１３４）とを含んでいて、前記第３の部分（１３４）は前記ビームボルト穴の中心に向かう前記第３の部分の側面から延びる前記複数のラチェット歯（１３６）を含む請求項３又は請求項４記載の固定装置（１１０）。
【請求項６】
前記スプリングアーム（１２８）の前記第３の部分（１３４）が、前記固定板（１１４）から延びる戻り止め（１４２）を受入れるように寸法決定されたノッチ（１４０）と、前記ノッチに隣接して前記第３の部分から延びるタブ（１４６）とをさらに含む請求項５記載の固定装置（１１０）。
【請求項７】
前記スプリングアーム（１２８）は、前記戻り止め（１４２）が前記ノッチ（１４０）の中に配置されかつ前記スプリングアームのラチェット歯（１３６）が前記固定スリーブのラチェット歯（１４４）とかみ合った第１の位置と、前記ビームボルト穴（１２６）の中心に向かう前記第３の部分（１３４）の前記側面（１３８）が前記戻り止め（１４２）に接触しかつ前記スプリングアームのラチェット歯が前記固定スリーブのラチェット歯から引離された第２の位置との間で移動させることができる請求項６記載の固定装置（１１０）。
【請求項８】
前記固定板（１１４）が、ジェットポンプビーム案内ピン（１５６）を受入れるように寸法決定された１以上の案内ピン穴（１５４）をさらに含む請求項１記載の固定装置（１１０）。
【請求項９】
立上り管（３６）と、
１以上の入口ミキサ（４０）と、
前記１以上の入口ミキサに連結された１以上のディフューザ（４２）と、
２以上の支持アーム（７４、７６、７８、８０）を含みかつ前記立上り管を前記１以上の入口ミキサに連結するために役立つ移行アセンブリ（３８）と、
前記２以上の支持アーム中の２者の間に延びかつボルトねじ穴（１０６）を含むジェットポンプビーム（８６）と、
前記ビームのボルトねじ穴を貫通して延びかつそれにねじ込まれたビームボルト（９４）と、
固定装置（１１０）とを含むジェットポンプアセンブリ（４４）において、
固定装置が請求項１ないし請求項８のいずれか一項である、ジェットポンプアセンブリ（４４）。
【請求項１０】
立上り管（３６）と、２本の入口ミキサ（４０）と、２以上の支持アーム（７４、７６、７８、８０）を含みかつ前記立上り管を前記入口ミキサに連結するために役立つ移行アセンブリ（３８）と、２個の前記支持アームの間に延びかつボルトねじ穴（１０６）を含むジェットポンプビームと、ビームボルト（９４）とを含むジェットポンプアセンブリ（４４）中でジェットポンプビーム（８６）を固定するための方法において、前記方法は、
前記ビームボルトを前記ビームのボルトねじ穴に通してそれにねじ込む工程と、
前記ビーム及び前記ビームボルト上に固定装置（１１０）を設置する工程と、
前記ビームボルトを締付けて前記ジェットポンプビームを所定の位置に固定する工程とを含み、
前記固定装置は、
第１の末端（１１８）から第２の末端（１２２）まで延びかつ前記ビームボルトを受入れるような寸法及び形状を有する内腔（１２０）を含むと共に、前記固定スリーブの外周に沿って設けられた複数のラチェット歯（１４４）を含む固定スリーブ（１１２）と、
前記固定スリーブを受入れるように寸法決定されたビームボルト穴（１２６）と一体のビームスプリングアーム（１２８）とを含み、前記スプリングアームは前記ビームボルト穴の中心に向かう前記スプリングアームの側面（１３８）の少なくとも一部から延びる複数のラチェット歯（１３６）を含み、かつ前記スプリングアームのラチェット歯は前記固定スリーブのラチェット歯とかみ合うように寸法決定されている固定板（１１４）とを含む方法。
【請求項１１】
固定装置（１１０）を設置する前記工程が、前記ビームボルトの頭部（９６）上に前記固定スリーブ（１１２）を嵌合させる工程と、前記ジェットポンプビーム（８６）上に前記固定板（１１４）を取付ける工程とから成る請求項１０記載の方法。
【請求項１２】
前記固定スリーブ（１１２）が上面（１５２）を有する基部（１１６）を含み、かつ前記複数のラチェット歯（１４４）が前記基部の外周に沿って設けられていると共に、前記固定板（１１４）が前記ビームボルト穴（１２６）の内周の少なくとも一部に沿って延びるリップ（１５０）を含み、かつ前記リップは前記固定スリーブの前記基部の前記上面と係合するように寸法決定されている場合に、前記固定板を取付ける前記工程が、前記固定板を前記ビーム（８６）に固定して前記固定板の前記リップを前記固定スリーブの前記基部の前記上面と係合させる工程から成る請求項１１記載の方法。
【請求項１３】
前記スプリングアーム（１２８）が、前記ビームボルト穴（１２６）に隣接した前記固定板（１１４）から延びる第１の部分（１３０）と、前記第１の部分から延びかつ前記ビームボルト穴の内周に沿って延びる第２の部分（１３２）と、前記第２の部分から延びる第３の部分（１３４）とを含んでいて、前記第３の部分は前記ビームボルト穴の中心に向かう前記第３の部分の側面（１３８）から延びる複数のラチェット歯（１３６）と、前記固定板から延びる戻り止め（１４２）を受入れるように寸法決定されたノッチ（１４０）と、前記ノッチに隣接して前記第３の部分から延びるタブ（１４６）とを含む場合に、前記ジェットポンプビーム（８６）上に前記固定板を取付ける工程が、前記ビームボルト穴の中心に向かう前記第３の部分の前記側面が前記戻り止めに接触しかつ前記スプリングアームのラチェット歯が前記固定スリーブのラチェット歯（１４４）から引離された第１の位置に前記スプリングアームを移動させる工程と、前記ジェットポンプビーム上に前記固定板を取付ける工程と、前記戻り止めが前記ノッチの中に配置されかつ前記スプリングアームのラチェット歯が前記固定スリーブのラチェット歯とかみ合った第２の位置に前記スプリングアームを移動させる工程とから成る請求項１０ないし請求項１２のいずれか一項に記載の方法。
【手続補正２】
【補正対象書類名】明細書
【補正対象項目名】０００５
【補正方法】変更
【補正の内容】
【０００５】
従って、仮付け溶接キーパ式のビームボルト固定装置の代りに使用し得る機械的固定装置を提供することは望ましい。また、ジェットポンプの組立て及び分解を容易にする機械的固定装置を提供することも望ましい。
【特許文献１】特開２０００−１９３７８５号公報